(57)【特許請求の範囲】
【請求項１】
対向するそれぞれの表面に電極層が形成された一対の基板と、前記一対の基板の間に挟持される液晶層と、前記一対の基板における前記液晶層との対向面とは反対側に配置され、前記一対の基板を挟持する一対の偏光板とを備え、前記電極層を介して前記液晶層に電圧を印加することによって、表示部で画像を表示する液晶表示素子において、
前記一対の基板の少なくとも一方の基板について、他方の基板との対向面に垂直配向性の配向膜が設けられており、
前記一対の偏光板は、一方の偏光板の吸収軸と他方の偏光板の吸収軸との交差角が９０°±５°になるように配置されており、
前記一対の基板上に形成された電極層と配向膜との間には表面抵抗が１０７Ω／□〜１０１０Ω／□の範囲である絶縁膜が設けられており、
前記絶縁膜は、導電性フィラーを前記配向膜の側の表面領域に偏在させて含有し、
前記表示部の開口率は７０％以下であることを特徴とする液晶表示素子。
【請求項２】
前記導電性フィラーは、前記絶縁膜の表面から深さ方向に３分の１までの領域に全体の半分以上が存在することを特徴とする請求項１に記載の液晶表示素子。
【請求項３】
前記導電性フィラーは、酸化アンチモン、酸化亜鉛、酸化スズおよび酸化インジウムよりなる群から選択される少なくとも１種の材料を用いて作製されたものであることを特徴とする請求項１または２に記載の液晶表示素子。
【請求項４】
前記液晶表示素子はパッシブマトリクス型の液晶表示素子であることを特徴とする請求項１〜３のうちのいずれか１項に記載の液晶表示素子。
【請求項５】
対向するそれぞれの表面に電極層が形成された一対の基板と、前記一対の基板の間に挟持される液晶層と、前記一対の基板における前記液晶層との対向面とは反対側に配置され、前記一対の基板を挟持する一対の偏光板とを備え、前記電極層を介して前記液晶層に電圧を印加することによって、表示部で画像を表示するパッシブマトリクス型の液晶表示素子において、
前記一対の基板のそれぞれについて、これらの基板の対向面に配向膜が設けられており、
前記一対の偏光板は、一方の偏光板の吸収軸と他方の偏光板の吸収軸との交差角が９０°±５°になるように配置されており、
前記一対の基板上に形成された電極層と配向膜との間には表面抵抗が１０７Ω／□〜１０１０Ω／□の範囲である絶縁膜が設けられており、
前記絶縁膜は、導電性フィラーを前記配向膜の側の表面領域に偏在させて含有し、
前記表示部の開口率は７０％以下であることを特徴とする液晶表示素子。
【発明の詳細な説明】
【技術分野】
【０００１】
本発明は、液晶表示素子に関し、特に、キャラクター表示が可能なパッシブマトリクス型のＶＡモード液晶表示素子に関する。
【背景技術】
【０００２】
一般に、透過型の液晶表示素子は、所定の方向に配向した数μｍ程度の極薄い液晶層と、この液晶層を挟持する透明な一対の薄い基板と、さらに、この基板を挟持して偏光子および検光子を構成する一対の偏光板とを有する。液晶層が設けられる側の基板面には、所定の形状にパターニングされた電極が形成されている。そして、この電極を介して液晶層に電圧を印加すると、液晶の配向が変化して、液晶表示素子を透過する光の量または波長が変わる。これにより、所望の表示を行うことが可能となる。
【０００３】
このように、液晶表示素子は、比較的単純な構造からなっている。また、構成部材の選択によって薄型化および軽量化が容易であり、また、低電圧での駆動も可能であることから、近年では、車両用の表示素子として盛んに利用されている。
【０００４】
ところで、液晶表示素子は、液晶層の初期配向状態並びに電圧印加時の動作状態および配向状態などから、いくつかのモードに分類される。例えば、液晶テレビや、自動車などの車両のインストルメントパネルなどに利用される液晶表示素子には、ＶＡ（Ｖｅｒｔｉｃａｌ  Ａｌｉｇｎｍｅｎｔ）モードが用いられる（例えば、特許文献１および２参照。）。ＶＡモードは、正面から見たときのコントラスト比が高く、また、視野角が広いことから、運転者から見て視認性に優れたモードである。
【０００５】
ＶＡモードは、一対の基板間に、初期配向状態が基板と概ね垂直（垂直配向）な負の誘電率異方性（Δε）を有する液晶層を挟持し、さらに、この基板を、通常はクロスニコルを構成するように配置した一対の偏光板で挟持することによって構成される。そして、基板面に形成された電極を介して液晶層に電圧を印加すると、液晶の配向が変化して、液晶層が電界に対して垂直、すなわち、液晶の配向方向が基板と平行になる。これにより、電圧を印加した部分と印加していない部分とで、液晶の屈折率異方性（Δｎ）と液晶層厚（ｄ）との積（Δｎ・ｄ）によって定まる光の透過特性、特に、色味に違いが生じる。この違いを利用することによって、所望の表示を行うことができる。
【０００６】
【特許文献１】特開平１１−１４８０７８号公報
【特許文献２】特開２００１−１２５１４４号公報
【発明の開示】
【発明が解決しようとする課題】
【０００７】
上述したように、ＶＡモードでは、液晶層が負の誘電率異方性を有する。そして、液晶層が負の誘電率異方性を示すには、負の誘電率異方性の液晶を含んで構成される必要がある。すなわち、ＶＡモードでは、適当な負の誘電率異方性の液晶を選択し、これを使用して液晶層が構成される。
【０００８】
負の誘電率異方性を有する液晶としては、分子構造にシアノ基を有するものが知られている。しかし、この液晶は、粘性が高いために、液晶表示素子駆動時における液晶の応答速度を著しく遅くするという問題がある。また、信頼性が低く、耐熱性にも乏しいことや、不純物の除去が困難であるために、液晶の性能および安定性の低下をもたらしやすいなどの問題もある。
【０００９】
これに対して、分子構造にフッ素原子を有する、所謂含フッ素液晶も負の誘電率異方性を示す液晶として知られている。この液晶は、粘性が低いので、液晶表示素子駆動時における液晶の応答速度を速くすることができる。また、信頼性が高く、耐熱性にも優れていることや、精製が容易であるなどの利点を有している。このため、ＶＡモードでは、含フッ素型の液晶を選択し、これを用いて液晶層を構成するのが一般的となっている。
【００１０】
しかしながら、含フッ素液晶を用いて構成された液晶層では、液晶が高純度であるために高比抵抗となる。それ故、液晶表示素子の表面に設けられた保護用の樹脂フィルムを剥がす際や、使用者が液晶表示素子に触れた場合などに、生じた静電気を液晶層を通して逃がすことが困難となって、液晶表示素子の異常点灯を引き起こすという問題があった。
【００１１】
すなわち、樹脂フィルムを剥がす際などに生じた静電気は、液晶表示素子の内部で局在化した状態で長時間保持される。このため、静電気によって引き起こされる異常点灯も長時間続くことになる。特に、非点灯部で発生した異常点灯は、外部からこれを抑制する有効な手段が無いので、液晶表示素子における大きな問題となっている。
【００１２】
また、液晶表示素子における異常点灯の問題は、液晶表示素子の表示パターン（すなわち、電極パターン）の影響も受ける。例えば、アクティブマトリクス型の液晶ＴＶなどで使用される、比較的高開口率のドットマトリクス構造では、表示部における電極構造が密である。よって、不意に液晶表示素子の表示部に静電気が印加された場合であっても、具備する電極を利用してこれを分散させることが比較的容易である。したがって、この構造によれば、直流電荷を局在化させないので、異常点灯を防止しやすい。また、配設されたカラーフィルタのブラックマスクによって異常点灯した非点灯部を隠すことにより、異常点灯部を視認者に見え難くすることもできる。
【００１３】
一方、キャラクター表示を行うことのできるパッシブマトリクス型の液晶表示素子では、静電気による異常点灯の問題が顕在化しやすい。これは、キャラクター表示では、電極構造が密なドットマトリクス構造ではなく、表示部の開口率が７０％以下であり、表示部内で電極の形成されていない部分の面積が大きい構造となっているからである。
【００１４】
したがって、パッシブマトリクス型の液晶表示素子では、表示部に印加された静電気を電極を利用して分散させることが困難となる。このため、直流電荷が局在化し、異常点灯から回復するのに時間を要する。したがって、製造工程において、異常点灯が解消するまで製品検査ができないこととなって、生産性を低下させるという問題があった。また、製品となった後は、点灯部と、異常点灯した非点灯部とを外観上区別できないために、表示機能の低下をもたらすという問題もあった。
【００１５】
また、パッシブマトリクス型の液晶表示素子は、カラーフィルタを使用しない構造のものが多い。このため、非点灯部での異常点灯を隠すためには、新たにブラックマスクを設ける必要があり、製造コストを大幅に上昇させてしまうという問題もあった。
【００１６】
本発明は、こうした問題点に鑑みてなされたものである。すなわち、本発明の目的は、静電気等に起因する異常点灯を短時間で解消できる液晶表示素子を提供することにある。
【００１７】
本発明の他の目的および利点は以下の記載から明らかとなるであろう。
【課題を解決するための手段】
【００１８】
本発明の第１の態様は、対向するそれぞれの表面に電極層が形成された一対の基板と、この一対の基板の間に挟持される液晶層と、この一対の基板の液晶層との対向面とは反対側に配置され、この一対の基板を挟持する一対の偏光板とを備え、電極層を介して液晶層に電圧を印加することによって、表示部で画像を表示する液晶表示素子において、一対の基板の少なくとも一方の基板について、他方の基板との対向面に垂直配向性の配向膜が設けられており、一対の偏光板は、一方の偏光板の吸収軸と他方の偏光板の吸収軸との交差角が９０°±５°になるように配置されており、一対の基板上に形成された電極層と配向膜との間には、表面抵抗が１０７Ω／□〜１０１０Ω／□の範囲である絶縁膜が設けられており、この絶縁膜は、導電性フィラーを配向膜の側の表面領域に偏在させて含有し、表示部の開口率は７０％以下であることを特徴とするものである。
【００１９】
本発明の第１の態様において、導電性フィラーは、絶縁膜の表面から深さ方向に３分の１までの領域に全体の半分以上が存在することが好ましい。また、導電性フィラーは、酸化アンチモン、酸化亜鉛、酸化スズおよび酸化インジウムよりなる群から選択される少なくとも１種の材料を用いて作製されたものであることが好ましい。
【００２０】
本発明の第１の態様における液晶表示素子は、パッシブマトリクス型の液晶表示素子であることが好ましい。
【００２１】
本発明の第２の態様は、対向するそれぞれの表面に電極層が形成された一対の基板と、この一対の基板の間に挟持される液晶層と、この一対の基板における液晶層との対向面とは反対側に配置され、一対の基板を挟持する一対の偏光板とを備え、電極層を介して液晶層に電圧を印加することによって、表示部で画像を表示するパッシブマトリクス型の液晶表示素子において、
一対の基板のそれぞれについて、これらの基板の対向面に配向膜が設けられており、
一対の偏光板は、一方の偏光板の吸収軸と他方の偏光板の吸収軸との交差角が９０°±５°になるように配置されており、
一対の基板上に形成された電極層と配向膜との間には表面抵抗が１０７Ω／□〜１０１０Ω／□の範囲である絶縁膜が設けられており、
この絶縁膜は、導電性フィラーを配向膜の側の表面領域に偏在させて含有し、
表示部の開口率は７０％以下であることを特徴とするものである。
【発明の効果】
【００２２】
本発明によれば、液晶表示素子を構成する基板上で、電極と配向膜との間に表面抵抗を所望の値に制御した絶縁膜を設けることによって、静電気等に起因する異常点灯を短時間で解消することが可能となる。
【発明を実施するための最良の形態】
【００２３】
図１は、本実施の形態における液晶表示素子１の断面図である。尚、液晶表示素子１は、ＶＡモード液晶表示素子であるとする。
【００２４】
図１に示すように、液晶表示素子１は、対向するそれぞれの表面に電極層２，３が形成された一対の透明なガラス製の基板４，５と、この一対の基板４，５の間に挟持されて複数の液晶からなる液晶層６とを備えたＶＡ液晶パネル１５と、ＶＡ液晶パネル１５の基板４，５における液晶層６との対向面とは反対側に配置され、この一対の基板４，５を挟持する一対の偏光板７，８とを有する。この一対の偏光板７，８は、ほぼクロスニコルとなる配置となっている。すなわち、一方の偏光板の吸収軸と他方の偏光板の吸収軸との交差角が９０°±５°になるように配置されている。尚、本実施の形態においては、基板４，５の少なくとも一方が透明であればよい。
【００２５】
基板４，５には、それぞれ他方の基板との対向面に、垂直配向性の配向膜１２，１３が設けられている。そして、配向膜１２，１３の表面には、ラビング処理などの配向処理が施されている。これにより、液晶層６では、液晶が初期配向状態としてほぼ垂直に配向し、一方向に僅かに傾いた状態となる。
【００２６】
液晶層６を構成する液晶は、負の誘電率異方性を有している。それ故、電極層２，３を介して液晶層６に電圧を印加すると、液晶は、基板４，５と平行になるように動作する。さらに、このとき、液晶は、配向膜１２，１３の表面に施された配向処理によって決められた方向に倒れる動作をする。その結果、液晶層６の光学異方性が変化して表示部９に画像が表示される。
【００２７】
また、図１において、電極層２と配向膜１２の間および電極層３と配向膜１３の間には、それぞれ絶縁膜１０，１１が設けられている。
【００２８】
電極層２の構造は、キャラクター表示を含む画像の表示が可能なように設計されており、表示部の開口率は７０％以下である。
【００２９】
従来の絶縁膜の表面抵抗は１０１３Ω／□程度であるのに対して、本実施の形態では、絶縁膜１０，１１の表面抵抗を１０７Ω／□〜１０１０Ω／□の範囲内とすることを特徴としている。これにより、液晶表示素子１の表面に設けられた保護用の樹脂フィルム（図示せず）を剥がす際や、使用者が液晶表示素子１に触れた場合などに生じた静電気を、絶縁膜１０，１１を通じて積極的に逃がすことができるので、液晶表示素子１に起こった異常点灯を解消するまでの時間を従来に比べ短縮することが可能となる。
【００３０】
絶縁膜１０，１１の表面抵抗を１０１０Ω／□以下とするのは、表面抵抗がこの値より大きくなると、静電気を効果的に逃がすことが困難となるからである。一方、静電気を逃がすという観点からは表面抵抗が低い値となることが好ましい。しかし、表面抵抗が低くなると、表示画像がにじんだようになる不良（にじみ点灯不良）が発生するようになって、表示性能を低下させてしまう。したがって、本発明においては、絶縁膜１０，１１の表面抵抗を、１０７Ω／□以上１０１０Ω／□以下とすることが好ましく、１０８Ω／□以上１０１０Ω／□以下とすることがより好ましく、１０８Ω／□以上１０９Ω／□以下とすることがさらに好ましい。このようにすることによって、にじみ点灯不良に起因した表示品位の著しい低下を抑制しつつ、静電気による異常点灯を短時間で解消することが可能となる。
【００３１】
次に、本実施の形態における絶縁膜の表面抵抗を所望の値に制御する方法について説明する。
【００３２】
本実施の形態においては、ＳｉＯ２、ＴｉＯ２若しくはＺｒＯ２などの金属酸化物、または、ＳｉＯ２−ＴｉＯ２、ＳｉＯ２−ＺｒＯ２若しくはＳｉＯ２−ＴｉＯ２−ＺｒＯ２などの複合酸化物を基材とし、これに導電性フィラーを分散させることによって絶縁膜１０，１１を構成することができる。
【００３３】
導電性フィラーは、導電性を示すフィラーであれば特に限定されるものではない。例えば、酸化アンチモン、酸化スズ、酸化インジウムまたは酸化亜鉛などを用いることができる。
【００３４】
導電性フィラーを基材に分散させて絶縁膜１０，１１を形成するのには、例えば、ゾルーゲル法を利用することができる。具体的には、ＳｉＯ２、ＴｉＯ２若しくはＺｒＯ２などの金属酸化物、ＳｉＯ２−ＴｉＯ２、ＳｉＯ２−ＺｒＯ２若しくはＳｉＯ２−ＴｉＯ２−ＺｒＯ２などの複合酸化物またはこれらの混合物を含む溶液に導電性フィラーを分散させ、これを基板４，５の上に塗布した後に加熱硬化させることによって、絶縁膜１０，１１を形成することができる。
【００３５】
例えば、金属アルコキシドを酸またはアルカリの触媒とともに溶剤に溶解した溶液に、上記の導電性フィラーを分散させて原料液を調製する。具体的には、絶縁膜の基材としてＳｉＯ２−ＴｉＯ２複合酸化物を用いる場合には、エチルシリケートなどのアルコキシシランなどをＳｉＯ２成分とし、ジイソプロポキシ−ジオクチルオキシチタニウムまたはチタンイソプロポキシドなどのチタンアルコキサイドなどをＴｉＯ２成分とすることができる。そして、これらと酸触媒またはアルカリ触媒とを溶剤に溶解させて得られた溶液に、上記の導電性フィラーを分散させて原料液を調製する。
【００３６】
そして、この原料液を、液晶表示素子１を構成する基板４，５上の電極層２，３の上に塗布し、予備的な乾燥工程を経て溶剤などの揮発性成分を揮発させる。これにより、基板４，５上の電極層２，３の上に、導電性フィラーを分散させたゲルが形成される。その後、焼成などの膜形成工程を経て、基板４，５上の電極層２，３の上に、導電性フィラーが分散した絶縁膜１０，１１を形成することができる。
【００３７】
尚、後に説明するように、縁膜１０，１１の厚さが６００Å程度であることを考慮すると、良好な分散性による抵抗特性の面内均一性を確保するには、絶縁膜に分散させる導電性フィラーの平均粒径が２００Å以下であることが好ましい。
【００３８】
次に、本実施の形態における液晶表示素子１の製造方法について説明する。
【００３９】
まず、ガラス基板４，５の上に、所望の画像表示ができるようにパターニングされた電極層２，３を設ける。電極層２，３は、例えば、ＩＴＯ（Ｉｎｄｉｕｍ  Ｔｉｎ  Ｏｘｉｄｅ）電極とすることができる。
【００４０】
次いで、ガラス基板４，５の上に、電極層２，３を被覆するようにして、酸化アンチモンフィラーを分散させたＳｉＯ２−ＴｉＯ２複合酸化物からなる絶縁膜１０，１１を設ける。このとき、絶縁膜１０，１１は、上記したように、ゾル−ゲル法を利用して製膜する。
【００４１】
すなわち、導電性フィラーである酸化アンチモン（Ｓｂ２Ｏ５）フィラーをＳｉＯ２−ＴｉＯ２複合酸化物を含む溶液に分散させ、この原料液を電極層２，３の上に塗布する。そして、予備的加熱乾燥を行って溶剤などの揮発性成分を揮発させ、電極層２，３を被覆するゾル膜を形成した後、焼成してＳｉＯ２−ＴｉＯ２複合酸化物からなる絶縁膜１０，１１を形成する。ここで、絶縁膜１０および絶縁膜１１は、いずれも６００Å程度の膜厚とする。
【００４２】
電極層２，３上に形成された絶縁膜１０，１１について、その横断面を電子顕微鏡によって観察すると、最表面側の領域に導電性フィラーが偏在していることが分かる。尚、最表面側とは、この後に配向膜１２，１３が製膜される側である。
【００４３】
図２に、模式的に示した絶縁膜１１の拡大断面図を示す。また、図３は、絶縁膜１１の表面から深さ方向の膜厚に対する導電性フィラーの分布を示したものである。これらの図から分かるように、導電性フィラー１４は、配向膜１３の側の表面領域に偏在しており、絶縁膜１１の表面から深さ方向に３分の１までの領域に全体の半分以上が存在する。すなわち、絶縁膜１１の膜厚の約３分の１に相当する、表面から深さ方向に２００Å程度の領域に、導電性フィラー１４の半分以上が偏在している。尚、絶縁膜１０についても同様である。
【００４４】
導電性フィラーにこのような分布を持たせることによって、絶縁膜１０，１１の表面領域における比抵抗を低い値とすることができる。尚、本実施の形態では、絶縁膜１０，１１の膜厚を６００Åとしているので、導電性フィラーの直径は、数十〜２００Å程度とすることができる。
【００４５】
このような導電性フィラーが絶縁膜の最表面側に偏在する状況は、エリプソメータを用いたエリプソメトリー法による絶縁膜１０，１１の屈折率測定結果からも支持される。すなわち、屈折率計算時に、絶縁膜１０，１１を、導電性フィラーが多く含まれる表面側の層と導電性フィラーの少ない電極層２，３側の層とからなる二層構造として計算すると、測定結果とよく一致することが分かる。
【００４６】
次に、液晶層６において、液晶が初期配向状態として垂直に配向するように配向膜１２，１３を形成する。例えば、ＪＳＲ株式会社製の配向膜材料（商品名：ＪＡＬＳ−２０２１）をフレキソ印刷法にて成膜し、基板を１８０℃で焼成することによって、厚さ６００Å程度の配向膜を形成することができる。次いで、配向膜１２，１３の表面にラビング処理を施して、電界印加時の液晶の動作方向を定める。
【００４７】
次に、配向膜１２，１３の形成工程までを終えた基板４，５によって、液晶層６を挟み込む。この際、例えば、樹脂スペーサ（図示せず）を用いることによって、基板４，５の間の距離（ｄ）を一定に保つことができる。また、液晶層６としては、例えば、屈折率異方性（Δｎ）が０．０９であるものを用いることができる。この場合、ｄ＝４μｍとすると、液晶表示素子１のリタデーション（Δｎ・ｄ）は３６０ｎｍとなる。
【００４８】
本実施の形態においては、液晶層６を含フッ素液晶を含むものとする。すなわち、液晶層６のＮｎ成分として含フッ素液晶を用いる。例えば、式（１）に示す２，３−ジフルオロ−４−アルキルフェニル構造を分子内に有する含フッ素液晶、または、式（２）に示す２，３−ジフルオロ−４−アルコキシフェニル構造を分子内に有する含フッ素液晶などを用いることができる。尚、式（１）および（２）において、Ｘは液晶構造のうちの他の構造部分を形成している原子団を表し、Ｒは直鎖もしくは分枝のアルキルまたはアルキル置換されたシクロアルカンを表す。このとき、液晶層６の比抵抗は、１０１１Ω・ｃｍ程度またはそれ以上となる。
【００４９】
0004777753.tif 000002
（１）
【００５０】
0004777753.tif 000003
（２）
【００５１】
次に、偏光板７，８の設置を行う。具体的には、基板４，５における液晶層６との対向面とは反対側に、一対の導電性の偏光板７，８をクロスニコル配置となるように貼り付ける。その後、偏光板７，８の上にそれぞれ保護用の樹脂フィルム（図示せず）を設ける。
【００５２】
また、本実施の形態においては、偏光板に導電性を付与した導電性偏光板を使用することも可能である。偏光板に導電性を付与することにより、液晶表示素子の表面部分でも静電気を分散させることができ、液晶素子内部にある絶縁膜の作用と併せ、より効率的に液晶表示素子に導入された静電気を分散させることができ、発生した異常点灯をより短時間で解消することが可能となる。
【００５３】
さらに、一対の偏光板のうちの一方のみに導電性を付与することも可能である。その場合、使用者が触れやすいことによって静電気が導入されやすい、フロント側（視認者側）の偏光板を導電偏光板とすることが望ましい。
【００５４】
尚、詳細は図示されないが、本実施の形態における液晶表示素子１は、パッシブマトリクス構造である。すなわち、画像表示を構成する各画素部分には、ＴＦＴ等のスイッチング素子は設けられておらず、電極層２，３を用いたパッシブ駆動によって目的の画像が表示される。
【００５５】
次に、本実施の形態の液晶表示素子１について、異常点灯を解消するまでの時間を評価した結果の一例を述べる。
【００５６】
まず、液晶表示素子１のフロント側およびリア側に設けられた保護用の樹脂フィルムを一気に剥がした。これにより、液晶表示素子１に静電気を発生させて、強制的に異常点灯を起こした後、異常点灯が解消するまでの時間を計測した。
【００５７】
比較のために、従来のＶＡモード液晶表示素子についても同様の試験を行った。ここで、従来のＶＡモード液晶表示素子とは、導電性フィラーを分散させていない高表面抵抗の絶縁膜を使用した液晶表示素子である（以下、本明細書において同じ。）。この液晶表示素子では、異常点灯が解消するまでに要する時間が、本実施の形態の液晶表示素子１に比べてはるかに長かった。したがって、本実施の形態の液晶表示素子１によれば、異常点灯解消時間を著しく短縮できることが分かった。
【００５８】
次に、ＥＳＤ試験機を用いて同様の評価を行った。具体的には、ＥＳＤ試験機（Ｎｏｉｓｅｋｅｎ製型式ＥＳＳ−２００ＡＳ）を用いて、液晶表示素子１におけるフロント側の表面中央部分に、０．５秒間に渡って所定の電圧の接触放電を２回実施し、強制的に異常点灯を起こした。その後、この異常点灯が解消するまでの時間を計測したところ、放電電圧３ｋＶでは３０秒以内であった。
【００５９】
比較のために、従来のＶＡモード液晶表示素子についても同様の試験を行った。その結果、放電電圧３ｋＶでは異常点灯が解消するまでに５分以上の時間がかかることがわかった。したがって、この試験によっても、本実施の形態の液晶表示素子１が、異常点灯解消時間を著しく短縮できることが分かった。
【００６０】
以上述べたように、本実施の形態における液晶表示素子では、導電性フィラーを分散させて絶縁膜の表面抵抗が低くなるようにしているので、静電気などの印加に起因する異常点灯を従来より短時間で解消することが可能となる。したがって、製造工程における製品検査までの時間を短縮して生産性を向上させることができる。また、製品の表示機能の低下を抑制することもできる。さらに、ブラックマスクを設ける場合と比較すると、製造工程の簡略化を図ることができ、製造コストの上昇を抑えることも可能である。
【００６１】
尚、本発明は上記実施の形態に限定されるものではなく、本発明の趣旨を逸脱しない範囲内において、種々変形して実施することができる。
【図面の簡単な説明】
【００６２】
【図１】本実施の形態における液晶表示素子の断面図である。
【図２】本実施の形態における絶縁膜の断面模式図である。
【図３】本実施の形態における絶縁膜について、深さ方向の膜厚に対する導電性フィラーの分布を示した図である。
【符号の説明】
【００６３】
１  液晶表示素子
２，３  電極層
４，５  基板
６  液晶層
７，８  偏光板
９  表示部
１０，１１  絶縁膜
１２，１３  配向膜
１４  導電性フィラー
１５  ＶＡ液晶パネル
【図１】
0004777753.tif 000004
【図２】
0004777753.tif 000005
【図３】
0004777753.tif 000006